(57)【要約】【課題】コネクタに専用の被係合部を設けることなく、コネクタを容易に組み付けることができるコネクタ用保護カバーを提供すること。【解決手段】内部にコネクタを収納するように両端を開放した筒状のカバー本体３１と、カバー本体３１の少なくとも一つの外壁３２に形成した退避用開口３３と、退避用開口３３の開口縁部のうち筒軸Ｐと直行する開口縁部３３ａに沿うように外壁３２の内面３２ａに一体に形成した薄肉ヒンジ３４と、薄肉ヒンジ３４の先端に一体に形成するとともに常時は外壁３２の内面３２ａに位置し、コネクタから筒軸Ｐに沿う挿入方向の荷重を受けた際には薄肉ヒンジ３４を支点として退避用開口３３に退避し、コネクタから筒軸Ｐに沿う引抜方向の荷重を受けた際には外壁３２の内面３２ａ及びコネクタ２０と当接してコネクタ２０のそれ以上の引き抜きを阻止する係合部３５と、を備える。【選択図】図５
2015232971.tif 000002
【特許請求の範囲】
【請求項１】
内部にコネクタを収納するように両端を開放した筒状のカバー本体と、
前記カバー本体の少なくとも一つの外壁に形成した退避用開口と、
前記退避用開口の開口縁部のうち筒軸と直行する開口縁部に沿うように前記外壁の内面に一体に形成した薄肉ヒンジと、
前記薄肉ヒンジの先端に一体に形成するとともに常時は前記カバー本体の前記内面に位置し、前記コネクタから筒軸に沿う挿入方向の荷重を受けた際には前記薄肉ヒンジを支点として前記退避用開口に退避し、前記コネクタから筒軸に沿う引抜方向の荷重を受けた際には前記外壁の内面と当接する係合部と、を備えたことを特徴とするコネクタ用保護カバー。
【請求項２】
前記退避用開口と前記薄肉ヒンジと前記係合部とは前記カバー本体の対向する前記外壁にそれぞれ形成され、
前記係合部は断面略Ｌ字状に形成され、かつ前記コネクタから筒軸に沿う引抜方向の荷重を受けた際にはその先端が前記外壁の前記内面に当接可能であることを特徴とする請求項１に記載のコネクタ用保護カバー。
【請求項３】
前記退避用開口と前記薄肉ヒンジと前記係合部とは前記カバー本体の対向する前記外壁にそれぞれ形成され、
前記係合部は断面略Ｌ字状に形成され、かつ前記コネクタから筒軸に沿う引抜方向の荷重を受けた際には前記コネクタの角部を構成する２面に沿うようにその先端が内向きであることを特徴とする請求項１に記載のコネクタ用保護カバー。
【請求項４】
複数の電線と、
前記複数の電線の一端が接続されるコネクタと、
請求項１乃至請求項３の何れか１の請求項に記載のコネクタ用保護カバーと、を備えることを特徴とするワイヤハーネス。
【請求項５】
前記カバー本体は、前記複数の電線の前記一端の近傍を支持しかつ配索方向を規定する電線ガイド部を一体に備えることを特徴とする請求項４に記載のワイヤハーネス。
【発明の詳細な説明】
【技術分野】
【０００１】
本発明は、コネクタを保護するコネクタ用保護カバー及びワイヤハーネスに関する。
【背景技術】
【０００２】
従来、複数の電線（以下、「電線群」とも称する）の各一端をコネクタに接続するとともに、このコネクタを保護するように収納したコネクタ用保護カバー（以下、単に「保護カバー」とも称する）を備えたワイヤハーネスが知られている。
【０００３】
一般に、このようなコネクタを収納する保護カバーにあっては、コネクタへの組み付けの際に電線群が邪魔となるために、例えば、半割の分割カバーとすることが多い（例えば、特許文献１参照）。
【０００４】
しかしながら、このような半割の分割カバーからなる保護カバーにあっては、コネクタと保護カバーとの位置決めに加え、半割した分割カバー同士の位置決めも同時に行いつつ分割カバー同士を接合しなければならない。
【０００５】
このため、分割カバーを用いた保護カバーにあっては、部品点数が増すうえに組み付け作業が煩雑となり、部品コスト並びに作業コストが高騰するという問題が生じていた。
【０００６】
そこで、図９に示すように、対向する両面を開放した枠状のカバー本体１にコネクタ２を挿入することにより、カバー本体１の構成を簡素化しつつ部品点数を削減し、適正にコネクタ２を保護するように構成したコネクタ保護カバーＨがある（例えば、特許文献２参照）。
【０００７】
具体的には、カバー本体１は、コネクタ２の周囲全体を収納するように遊嵌可能な角筒形状とし、上下両面壁１ａ，１ｂの略中央に係合リブ１ｃ，１ｄを一体に形成している。
【０００８】
係合リブ１ｃ，１ｄは、カバー本体１の一方の開放端側を自由端として弾性によりバネを具備しており、図１０に示すように、その先端内側に係合爪１ｅ，１ｆを形成している。
【０００９】
雌側のコネクタ２は、前部２ａが図示しない雄側のコネクタに嵌合可能とされ、図示しない電線接続側となる基端側に枠状のフランジ２ｂを有する。また、上下両面のフランジ２ｂの略中央は切り欠かれており、その切欠部分よりも前部２ａに寄った位置に被係合部２ｃ，２ｄが突設されている。なお、図９では図示上側の被係合部２ｃのみ図示している。
【００１０】
このように構成したコネクタ用保護カバーＨにおいては、図１０（Ａ）に示すように、カバー本体１の一方側の開放端からコネクタ２を前部２ａ側から挿入する。
【００１１】
次に、図１０（Ｂ）に示すように、被係合部２ｃ，２ｄにより係合リブ１ｃ，１ｄを弾性に抗して広げつつさらにカバー本体１にコネクタ２を押し込む。
【００１２】
そして、図１０（Ｃ）に示すように、被係合部２ｃ，２ｄが係合爪１ｅ，１ｆを乗り越えると、係合リブ１ｃ，１ｄが弾性復帰する。
【００１３】
さらに、図１０（Ｄ）に示すように、コネクタ２を引き戻して被係合部２ｃ，２ｄを係合爪１ｅ，１ｆに係合させる。
【００１４】
これにより、コネクタ用保護カバーＨは、カバー本体１に対してコネクタ２を電線引き抜き方向に抜け止め状態とすることができる。
【先行技術文献】
【特許文献】
【００１５】
【特許文献１】特開２００２−０２５６８４号公報
【特許文献２】特開２００２−２４６１０６号公報
【発明の概要】
【発明が解決しようとする課題】
【００１６】
しかしながら、このような従来のコネクタ用保護カバーＨにあっては、コネクタ２に被係合部２ｃ，２ｄを形成する必要があるうえ、カバー本体１とコネクタ２とを組み付ける際に、係合リブ１ｃ，１ｄを弾性に抗して広げつつさらにカバー本体１にコネクタ２を押し込む必要があり、組み立てがし難いという問題があった。
【００１７】
本発明は、上述のような課題を解決するためになされたもので、コネクタ側に専用の被係合部を設けることなく、コネクタを容易に組み付けることができるコネクタ用保護カバーを提供することを目的とする。
【課題を解決するための手段】
【００１８】
本発明に係るコネクタ用保護カバーは、上記目的達成のため、内部にコネクタを収納するように両端を開放した筒状のカバー本体と、前記カバー本体の少なくとも一つの外壁に形成した退避用開口と、前記退避用開口の開口縁部のうち筒軸と直行する開口縁部に沿うように前記外壁の内面に一体に形成した薄肉ヒンジと、前記薄肉ヒンジの先端に一体に形成するとともに常時は前記カバー本体の前記内面に位置し、前記コネクタから筒軸に沿う挿入方向の荷重を受けた際には前記薄肉ヒンジを支点として前記退避用開口に退避し、前記コネクタから筒軸に沿う引抜方向の荷重を受けた際には前記外壁の内面と当接する係合部と、を備えた構成である。
【００１９】
本発明に係るコネクタ用保護カバーは、薄肉ヒンジの先端に係合部が一体に形成されている。この係合部は、コネクタをカバー本体の一方の開放側から他方の開放側に向けて筒軸に沿って挿入した際には、コネクタの挿入に伴う荷重により薄肉ヒンジを介して回動し、退避用開口に退避する。
【００２０】
また、係合部は、コネクタのさらなる挿入によってコネクタからの荷重が開放されると、薄肉ヒンジの復帰作用によって元のカバー本体の内部に復帰する。
【００２１】
さらに、係合部は、カバー本体の他方の開放側から一方の開放側に向けて筒軸に沿ってコネクタを引き戻すことによって係合部が外壁の内面とコネクタとに当接する。
【００２２】
これにより、カバー本体に対するそれ以上のコネクタの引き戻し、すなわち、カバー本体に対するコネクタの引き抜きを阻止することができる。
【００２３】
このように、本発明のコネクタ用保護カバーにあっては、コネクタそのものに係合部が係合するため、コネクタに専用の被係合部を設ける必要がない。また、係合部は薄肉ヒンジによって回動するうえ、コネクタに対して弾性等による積極的な係合状態とする必要がない。
【００２４】
したがって、コネクタ側に専用の被係合部を設けることなく、コネクタを容易に組み付けることができる。
【００２５】
また、上記構成のコネクタ用保護カバーは、前記退避用開口と前記薄肉ヒンジと前記係合部とは前記カバー本体の対向する前記外壁にそれぞれ形成され、前記係合部は断面略Ｌ字状に形成され、かつ前記コネクタから筒軸に沿う引抜方向の荷重を受けた際にはその先端が前記外壁の前記内面に当接可能である構成としてもよい。
【００２６】
この構成により、本発明に係るコネクタ用保護カバーは、コネクタを引き戻すことによってコネクタに係合部が係合したときに、係合部の先端が外壁の内面と当接する。この際、係合部は、その形状が略Ｌ字形状であることから、先端が外壁の内面に当接したときのコネクタとの接触部分がコネクタの引き抜き側に向かうほどカバー本体の筒軸側に向かって傾斜することとなる。したがって、コネクタの引き抜き荷重に対してコネクタを筒軸側に変位させる機能を具備させることができる。
【００２７】
また、上記構成のコネクタ用保護カバーは、前記退避用開口と前記薄肉ヒンジと前記係合部とは前記カバー本体の対向する前記外壁にそれぞれ形成され、前記係合部は断面略Ｌ字状に形成され、かつ前記コネクタから筒軸に沿う引抜方向の荷重を受けた際には前記コネクタの角部を構成する２面に沿うようにその先端が内向きである構成としてもよい。
【００２８】
この構成により、本発明に係るコネクタ用保護カバーは、コネクタを引き戻すことによってコネクタに係合部が係合したときに、係合部の先端が外壁の内面と当接する。この際、係合部は、その形状が略Ｌ字形状でありかつコネクタから筒軸に沿う引抜方向の荷重を受けた際には前記コネクタの角部を構成する２面に沿うようにその先端が内向きとなる。したがって、コネクタの引き抜き荷重に対してコネクタから筒軸に沿う方向と直行する方向に支持力を具備させることができる。
【００２９】
また、本発明に係るワイヤハーネスは、上記目的達成のため、複数の電線と、前記複数の電線の一端が接続されるコネクタと、請求項１乃至請求項３の何れか１の請求項に記載のコネクタ用保護カバーと、を備えた構成である。
【００３０】
この際、前記カバー本体は、前記複数の電線の前記一端の近傍を支持しかつ配索方向を規定する電線ガイド部を一体に備えることができる。
【発明の効果】
【００３１】
本発明によれば、コネクタ側に専用の被係合部を設けることなく、コネクタを容易に組み付けることができるコネクタ用保護カバーを提供することができる。
【図面の簡単な説明】
【００３２】
【図１】本発明の一実施の形態に係るワイヤハーネスを示し、（Ａ）はワイヤハーネスの一部を省略した断面図、（Ｂ）は図１（Ａ）のＡ部の拡大断面図である。
【図２】本発明の一実施の形態に係るワイヤハーネスの要部の斜視図である。
【図３】本発明の一実施の形態に係るワイヤハーネスを示し、（Ａ）はワイヤハーネスの要部の平面図、（Ｂ）はワイヤハーネスの要部の正面図である。
【図４】本発明の実施の形態に係るコネクタ用保護カバーを示し、（Ａ）はコネクタ用保護カバーの平面図、（Ｂ）はコネクタ用保護カバーの正面図、（Ｃ）はコネクタ用保護カバーの側面図である。
【図５】本発明の実施の形態に係るコネクタ用保護カバーを示し、（Ａ）は図４（Ｂ）のＢ−Ｂ線に沿うコネクタ挿入前の係合部の状態を示すコネクタ用保護カバーの断面図、（Ｂ）は図４（Ｂ）のＢ−Ｂ線に沿うコネクタ挿入時の係合部の状態を示すコネクタ用保護カバーの断面図、（Ｃ）は図４（Ｂ）のＢ−Ｂ線に沿うコネクタ支持時の係合部の状態を示すコネクタ用保護カバーの断面図である。
【図６】本発明の実施の形態に係るワイヤハーネスを示し、（Ａ）はコネクタ挿入直後のワイヤハーネスの断面図、（Ｂ）はコネクタ挿入過程のワイヤハーネスの断面図、（Ｃ）はコネクタ引き戻し直前のワイヤハーネスの断面図、（Ｄ）はコネクタ支持状態のワイヤハーネスの断面図である。
【図７】本発明の他の実施の形態に係るコネクタ用保護カバーを示し、（Ａ）はコネクタ挿入前の係合部の状態を示すコネクタ用保護カバーの断面図、（Ｂ）はコネクタ挿入時の係合部の状態を示すコネクタ用保護カバーの断面図、（Ｃ）はコネクタ支持時の係合部の状態を示すコネクタ用保護カバーの断面図である。
【図８】本発明の他の実施の形態に係るワイヤハーネスを示し、（Ａ）はコネクタ挿入直後のワイヤハーネスの断面図、（Ｂ）はコネクタ挿入過程のワイヤハーネスの断面図、（Ｃ）はコネクタ引き戻し直前のワイヤハーネスの断面図、（Ｄ）はコネクタ支持状態のワイヤハーネスの断面図である。
【図９】従来のワイヤハーネスにおけるコネクタ用保護カバーとコネクタとの組み付け前の分解斜視図である。
【図１０】従来のワイヤハーネスにおけるコネクタ用保護カバーに対するコネクタの支持過程を時系列に示し、（Ａ）はコネクタ挿入前の要部の断面図、（Ｂ）は被係合部により係合を弾性に抗して広げている状態の要部の断面図、（Ｃ）は被係合部が係合爪を乗り越えて係合リブが弾性復帰した状態の要部の断面図、（Ｄ）はコネクタを引き戻して被係合部を係合爪に係合させた状態の要部の断面図である。
【発明を実施するための形態】
【００３３】
次に、本発明に係るワイヤハーネスの一実施の形態について図面を参照して説明する。
【００３４】
本実施の形態として示すワイヤハーネスは、例えば、車両用ワイヤハーネス等に適用するものである。
【００３５】
図１〜図３に示すように、ワイヤハーネス１０は、複数の電線１１の一端を接続したコネクタ２０と、コネクタ２０を保護するコネクタ用保護カバー３０と、図１に示すように、複数の電線１１の他端を接続した（図１では非接続状態）コネクタ４０と、を有する。
【００３６】
図１に示すコネクタ２０とコネクタ４０とは、例えば、コネクタ２０は電源供給側用として図示しない制御回路ユニット等のコネクタに接続可能となっており、コネクタ４０は電源被供給側用として図示しない各種車載機器等のコネクタに接続可能となっている。
【００３７】
なお、図１において複数の電線１１の数は実際の数よりも省略して図示している。この電線１１の端部には、コネクタ２０，４０に応じて端子１２を設けており、この端子１２を介して各電線１１とコネクタ２０，４０とを電気的に接続するようになっている。これにより、複数の電線１１は、制御回路ユニットと車載機器等との間の電源供給用線或いは信号送受信用線として用いるようになっている。
【００３８】
コネクタ２０は、コネクタ用保護カバー３０の一方の開放側から内部に挿入することによって所定の収納位置で位置決めされ、コネクタ用保護カバー３０に保護されるようになっている。コネクタ２０は、図示しない制御回路ユニット等のコネクタに接続部２１を接続した際に、その制御回路ユニット等のコネクタと係合するロック爪２２と、周辺機器等によってロック爪２２が不測に押されないようにするための周囲壁２３と、を有する。
【００３９】
コネクタ用保護カバー３０は、図４及び図５に示すように、両端を開放した筒状のカバー本体３１と、カバー本体３１の対向する外壁３２に形成した退避用開口３３と、外壁３２の内面３２ａに一体に形成した薄肉ヒンジ３４と、薄肉ヒンジ３４の先端に一体に形成した係合部３５と、を有する。
【００４０】
カバー本体３１は、一方の開放端をコネクタ２０の挿入側とするとともに他方の開放端を図示しない制御回路ユニット等のコネクタとの接続側とするように両端を開放しており、角部を面取りしたＲ状の断面長方形に形成している。
【００４１】
退避用開口３３は、カバー本体３１の長辺側の対向する外壁３２に形成しており、この退避用開口３３の接続側を開放することによってコネクタ２０のロック爪２２を図示しない制御回路ユニット等のコネクタと接続されるようになっている。すなわち、退避用開口３３は、図示しない制御回路ユニット等のコネクタとコネクタ２０とを係合させる際のガイド機能を兼用している。また、カバー本体３１の短辺側の一方の外壁３６には、図１及び図２に示すように、複数の電線１１の一端の近傍を支持しかつ配索方向を規定する電線ガイド部３７を一体に突出して形成している。
【００４２】
この電線ガイド部３７は、断面略Ｕ字に形成してカバー本体３１と同様にコネクタ２０の挿入側に開放している。なお、電線ガイド部３７には、複数の電線１１の脱落を防止するためのテープ部材３８を巻設するのが好ましい。また、電線ガイド部３７の突出方向及び数は複数の電線１１の配索方向に応じて任意である。
【００４３】
薄肉ヒンジ３４は、図４（Ａ），（Ｂ）に示すように、カバー本体３１の筒軸Ｐに対して直行する退避用開口３３の開口縁部３３ａに沿うように外壁３２の内面３２ａに一体に形成している。
【００４４】
係合部３５は、断面略Ｌ字形状とされ、その基端が薄肉ヒンジ３４と一体に接続されるとともに、先端３５ａが自由端となっている。これにより、係合部３５は、図５（Ａ）に示すように、外壁３２の内面３２ａに対して起立した状態、図５（Ｂ）に示すように、退避用開口３３に退避している状態、図５（Ｃ）に示すように、先端３５ａが内面３２ａに当接した状態、に薄肉ヒンジ３４を支点として回動可能となっている。
【００４５】
上記の構成において、複数の電線１１はコネクタ２０に接続済であり、コネクタ２０を挿入方向に移動していくと、係合部３５がコネクタ２０先端と当接し、その後、コネクタ２０の挿入位置、すなわち、当接位置に応じて係合部３５が退避用開口３３に向けて回動する。コネクタ２０をさらに挿入方向へと移動させ、コネクタ２０が係合部３５の位置を過ぎて荷重から開放されると、係合部３５は薄肉ヒンジ３４の復帰力により逆方向に回動し、元の位置へと戻る。
【００４６】
この状態から、コネクタ２０を引戻方向に移動させることにより、係合部３５がコネクタ２０の後端と当たり、その後、係合部３５が逆方向に回動し、係合部３５の先端が外壁３２の内面３２ａに当接する。この時、コネクタ２０後端と係合部３５とが当接しており、これ以上、引戻方向、すなわち、引き抜き方向への移動が阻止される。この状態で、図１に示すように、複数の電線１１を電線ガイド部と一緒にテープ巻きすることで複数の電線１１がカバー本体３１に固定されると同時に配索方向が規定され、コネクタ２０をカバー本体３１に固定することができる。
【００４７】
また、コネクタ２０をカバー本体３１ヘ固定した後、相手側のコネクタ（図示せず）ヘと挿入する際も、コネクタ２０後端と係合部３５とが当接しているため、これ以上、引抜方向へとコネクタ２０が移動することはなく、コネクタ２０と相手側のコネクタとをより確実に嵌合させることが可能となる。
【００４８】
このように、コネクタ２０の支持構造を、薄肉ヒンジ３４と係合部３５とで構成することにより、コネクタ２０に特別な被係合部を設ける必要がなく、カバー本体３１にコネクタ２０を組み付ける際の組み付け性を向上することができるばかりでなく、コネクタ用保護カバー３０の成型金型構造もより安易な構造とすることができ、ロック嵌合が不要なコネクタ２０用カバー本体３１とすることが可能となる。
【００４９】
このように、本実施の形態に係るコネクタ用保護カバー３０は、薄肉ヒンジ３４の先端に係合部３５が一体に形成されている。この係合部３５は、コネクタ２０をカバー本体３１の一方の開放側から他方の開放側に向けて筒軸Ｐに沿って挿入した際には、コネクタ２０の挿入に伴う荷重により薄肉ヒンジ３４を介して回動し、退避用開口３３に退避する。
【００５０】
また、係合部３５は、コネクタ２０のさらなる挿入によってコネクタ２０からの荷重が開放されると、薄肉ヒンジ３４の復帰作用によって元のカバー本体３１の内部に復帰する。
【００５１】
さらに、係合部３５は、カバー本体３１の他方の開放側から一方の開放側に向けて筒軸Ｐに沿ってコネクタ２０を引き戻すことによって係合部３５が外壁３２の内面３２ａとコネクタ２０とに当接する。
【００５２】
これにより、カバー本体３１に対するそれ以上のコネクタ２０の引き戻し、すなわち、カバー本体３１に対するコネクタ２０の引き抜きを阻止することができる。
【００５３】
このように、本実施の形態のコネクタ用保護カバー３０にあっては、コネクタ２０そのもに係合部３５が係合するため、コネクタ２０に専用の被係合部を設ける必要がない。また、係合部３５は薄肉ヒンジ３４によって回動するうえ、コネクタ２０に対して弾性等による積極的な係合状態とする必要がない。
【００５４】
したがって、コネクタ２０側に専用の被係合部を設けることなく、コネクタ２０を容易に組み付けることができる。
【００５５】
また、コネクタ用保護カバー３０は、退避用開口３３と薄肉ヒンジ３４と係合部３５とはカバー本体３１の対向する外壁３２にそれぞれ形成されている。そして、係合部３５は、断面略Ｌ字状に形成され、かつコネクタ２０から筒軸Ｐに沿う引抜方向の荷重を受けた際にはその先端３５ａが外壁３２の内面３２ａに当接可能な構成を採用している。
【００５６】
この構成により、コネクタ用保護カバー３０は、コネクタ２０を引き戻すことによってコネクタ２０に係合部３５が係合したときに、係合部３５の先端３５ａが外壁３２の内面３２ａと当接する。この際、係合部３５は、その形状が略Ｌ字形状であることから、先端３５ａが外壁３２の内面３２ａに当接したときのコネクタ２０との接触部分がコネクタ２０の引き抜き側に向かうほどカバー本体３１の筒軸Ｐ側に向かって傾斜することとなる。したがって、コネクタ２０の引き抜き荷重に対してコネクタ２０を筒軸Ｐ側に変位させる機能を具備させることができる。
【００５７】
（その他の実施の形態）
本発明は、上記の実施の形態（および実施例）に限定されるものでなく、特許請求の範囲に記載された本発明の技術的範囲には、発明の要旨を逸脱しない範囲内で種々、設計変更した形態が含まれる。
【００５８】
例えば、図７及び図８に示したコネクタ用保護カバー５０は、上記実施の形態で示した係合部３５に対して、係合部５５を逆向きとしたものである。なお、図７及び図８において、上記実施の形態と同一の構成には同一の符号を付して、その詳細な説明は省略する。
【００５９】
コネクタ用保護カバー５０は、図７及び図８に示すように、両端を開放した筒状のカバー本体５１と、カバー本体５１の対向する外壁５２に形成した退避用開口５３と、外壁５２の内面５２ａに一体に形成した薄肉ヒンジ５４と、薄肉ヒンジ５４の先端に一体に形成した係合部５５と、を有する。なお、コネクタ用保護カバー５０の外観上の見掛けは上記実施の形態の図４と同一である。したがって、図示はしないが、このカバー本体５１においても、短辺側の一方の外壁に複数の電線の一端の近傍を支持しかつ配索方向を規定する電線ガイド部を一体に突出して形成している。
【００６０】
カバー本体５１は、一方の開放端をコネクタ２０の挿入側とするとともに他方の開放端を図示しない制御回路ユニット等のコネクタとの接続側とするように両端を開放しており、角部を面取りしたＲ状の断面長方形に形成している。
【００６１】
退避用開口５３は、カバー本体５１の長辺側の対向する外壁５２に形成しており、この退避用開口５３の接続側を開放している。
【００６２】
薄肉ヒンジ５４は、カバー本体５１の筒軸Ｐに対して直行する退避用開口５３の開口縁部５３ａに沿うように外壁５２の内面５２ａに一体に形成している。
【００６３】
係合部５５は、断面略Ｌ字形状とされ、その基端が薄肉ヒンジ５４と一体に接続されるとともに、先端５５ａが自由端となっている。これにより、係合部５５は、図８（Ａ）に示すように、カバー本体５１の内面５２ａに対して起立した状態、図８（Ｂ）に示すように、退避用開口５３に退避している状態、図８（Ｃ）に示すように、先端５５ａが内面５２ａから離れる方向の一向きの状態、に回動可能となっている。
【００６４】
このように、コネクタ用保護カバー５０は、退避用開口５３と薄肉ヒンジ５４と係合部５５とはカバー本体５１の対向する外壁５２にそれぞれ形成され、係合部５５は断面略Ｌ字状に形成され、かつコネクタ２０から筒軸Ｐに沿う引抜方向の荷重を受けた際にはコネクタ２０の角部を構成する２面に沿うようにその先端を内向きとしている。
【００６５】
この構成により、コネクタ用保護カバー５０は、コネクタ２０を引き戻すことによってコネクタ２０に係合部５５が係合したときに、係合部５５の先端がカバー本体５１の内面と当接する。この際、係合部５５は、その形状が略Ｌ字形状でありかつコネクタ２０から筒軸Ｐに沿う引抜方向の荷重を受けた際にはコネクタ２０の角部を構成する２面に沿うようにその先端が内向きとなる。したがって、コネクタ２０の引き抜き荷重に対してコネクタ２０から筒軸Ｐに沿う方向と直行する方向に支持力を具備させることができる。
【００６６】
そして、このような構成においても、コネクタ２０に専用の被係合部を設けることなく、コネクタ２０を容易に組み付けることができる。なお、コネクタ用保護カバー５０は、例えば、図５（Ａ）及び図７（Ａ）に示すように、樹脂又はゴム等の成形品として簡素な構成とすることができることから、特別なスライドコア等を用いることなく、成型金型においても簡素な構成とすることができる。なお、コネクタ２０を挿入していない状態、すなわち、、図５（Ａ）及び図７（Ａ）に示すコネクタ保護カバー３０，５０の状態が特許請求の範囲の「常時」を意味する。
【００６７】
また、上記実施の形態において、係合部３５，５５を断面Ｌ字形状としたものを開示したが、例えば、断面球体や多角面体でもよい。
【００６８】
さらに、退避用開口３３，５３と薄肉ヒンジ３４，５４と係合部３５，５５とは、カバー本体３１，５１の対向する外壁３２，５２にそれぞれ形成したが、何れか一方でもよい。また、退避用開口３３，３５を専用のスリット状の開口としてもよい。
【００６９】
以上説明したように、本発明に係るコネクタ用保護カバー３０は、コネクタに専用の被係合部を設けることなく、コネクタを容易に組み付けることができるという効果を有し、コネクタを保護するコネクタ用保護カバー及びワイヤハーネス全般に有用である。
【符号の説明】
【００７０】
１０  ワイヤハーネス
１１  電線
２０  コネクタ
３０  コネクタ用保護カバー
３１  カバー本体
３２  外壁
３２ａ  内面
３３  退避用開口
３３ａ  開口縁部
３４  薄肉ヒンジ
３５  係合部
３５ａ  先端
３７  電線ガイド部
【図１】
2015232971.tif 000003
【図２】
2015232971.tif 000004
【図３】
2015232971.tif 000005
【図４】
2015232971.tif 000006
【図５】
2015232971.tif 000007
【図６】
2015232971.tif 000008
【図７】
2015232971.tif 000009
【図８】
2015232971.tif 000010
【図９】
2015232971.tif 000011
【図１０】
2015232971.tif 000012